(57)【特許請求の範囲】
【請求項１】
電路上に設けた可動接点と固定接点とから成る接点部と、オン／オフ操作により前記接点部を開閉動作させる操作ハンドルと、過電流の発生等を受けて変位するラッチ片と、前記ラッチ片に係止して前記接点部の閉状態を維持させるトリップアームと、前記操作ハンドル、前記トリップアームと連携して前記可動接点を開閉動作させる上部トグルリンク及び下部トグルリンクから成るトグルリンク部とを有し、
前記上部トグルリンクの先端が前記トリップアームに連結される一方、前記下部トグルリンクの先端が前記可動接点を備えた可動接触子に連結され、前記操作ハンドルのオン／オフ操作を前記トグルリンク部が可動接触子に伝達して前記接点部の開閉を行い、
過電流等異常電流の発生を受けて前記ラッチ片が変位すると、前記トリップアームが回動してトリップ動作し、前記トグルリンク部が連動して前記可動接点を開動作させる一方、トリップ動作しても前記可動接点と前記固定接点とが溶着して連結されている場合は、前記トグルリンク部の作用により操作ハンドルのオフ表示を不能とする回路遮断器において、
前記操作ハンドルのオフ操作により、当該操作ハンドルを支持しているハンドル支持金具に当接する第１及び第２の係合突起を前記上部トグルリンクに設け、
トリップ動作しても前記可動接点と前記固定接点とが連結されている場合は、前記操作ハンドルのオフ操作を受けて、前記第１の係合突起が前記ハンドル支持金具に当接して前記トリップアームの動作が規制されて前記ラッチ片に係止せず、
トリップ動作して前記可動接点と前記固定接点とが解離した場合は、前記操作ハンドルのオフ操作を受けて、前記第２の係合突起が前記ハンドル支持金具に当接して前記トリップアームが前記ラッチ片に係合する角度まで回動し、前記トリップアームが前記ラッチ片に係止することを特徴とする回路遮断器。
【発明の詳細な説明】
【技術分野】
【０００１】
本発明は回路遮断器に関し、特に固定接点と可動接点とが溶着した状態では、操作ハンドルをオフ表示状態にできない構造の回路遮断器に関する。
【背景技術】
【０００２】
遮断動作しても、固定接点と可動接点とが溶着して接点同士が解離しない状態となった場合、外見でそれが判るように操作ハンドルをオフ操作した場合トリップ位置に戻ったり、オフ位置までの移動そのものができないよう構成されたものがある。例えば、特許文献１では、接点同士が溶着した場合、可動接触子に連結されたクロスバーが回動しなくなり、このクロスバーに係合するよう構成されたハンドルレバー（ハンドル支持金具）が一定量以上回転できなくなる。その結果、操作ハンドルがオフ位置まで移動できないため、操作者は接点が溶着したことを操作ハンドルの状態で認識できた。
【先行技術文献】
【特許文献】
【０００３】
【特許文献１】特開２００７−２６５８３０号公報
【発明の概要】
【発明が解決しようとする課題】
【０００４】
しかしながら、上記従来の回路遮断器は、接点溶着状態で遮断動作した場合でも、操作ハンドルをオフ操作すると接点が解離しないにも拘わらずラッチがかかってしまい、結果としてオン状態を維持する動作をしていた。
【０００５】
図５，６はこのような従来の回路遮断器の内部機構を示す側面説明図である。図５は正常動作する場合を示し、（ａ）はオン状態、（ｂ）はトリップ状態を示し、図６は接点が溶着した場合を示し、（ａ）はトリップ状態、（ｂ）はリセット操作状態を示している。この図５，６において、１０１は操作ハンドル、１０２は可動接点１０２ａを有する可動接触子、１０３は固定接点１０３ａを有する固定接触子、１０４ａは上部トグルリンク、１０４ｂは下部トグルリンク、１０５は可動接触子２に連結されたアーム部材、１０６はトリップアーム、１０７はラッチ片、１０８は操作ハンドル１０１が固着されたハンドル支持金具、１０９はこれら各部材を組み付けたフレームである。
【０００６】
また、図７（ａ）は上部トグルリンク１０４ａ、図７（ｂ）はトリップアーム１０６を夫々抜き出して示している。上部トグルリンク１０４ａは、トリップアーム１０６に軸着される上部透孔１２０、下部トグルリンク１０４ｂに軸着される下部透孔１２１が設けられている。トリップアーム１０６は、上部トグルリンク１０４ａに軸着される上部透孔１２２、フレーム１０９に連結される下部透孔１２３が設けられている。また、上部透孔１２２の近傍にハンドル支持金具１０８に係合させるための突起１０６ａが形成されている。
【０００７】
このように構成された従来の回路遮断器は、可動接点１０２ａと固定接点１０３ａとから成る接点部が溶着した状態で遮断動作すると、図６（ａ）に示す状態となる。この状態で、操作ハンドル１０１をオフ操作（リセット操作）すると、図６（ｂ）に示すようにトリップアーム１０６の先端がラッチ片１０７に係止し、ラッチがかかった状態となる。具体的に、操作ハンドル１０１をオフ操作する途中でこのトリップアーム１０６に形成された突起１０６ａがハンドル支持金具１０８に当接する。
その結果、トリップアーム１０６の回動が促進され、トリップアーム１０６の先端がラッチ片１０７に係止する。そのため、その後何らかの作用で接点部が解離しても、操作ハンドル１０１はトリップ状態に移行することが無く、操作ハンドル１０１の状態でそれを認識することができなかった。
【０００８】
そこで、本発明はこのような問題点に鑑み、遮断動作した際に固定接点と可動接点とが溶着して連結している状態では、リセット操作してもリセット動作せず、更にラッチもかからない回路遮断器を提供することを目的としている。
【課題を解決するための手段】
【０００９】
上記課題を解決する為に、請求項１の発明は、電路上に設けた可動接点と固定接点とから成る接点部と、オン／オフ操作により接点部を開閉動作させる操作ハンドルと、過電流の発生等を受けて変位するラッチ片と、ラッチ片に係止して接点部の閉状態を維持させるトリップアームと、操作ハンドル、トリップアームと連携して可動接点を開閉動作させる上部トグルリンク及び下部トグルリンクから成るトグルリンク部とを有し、上部トグルリンクの先端がトリップアームに連結される一方、下部トグルリンクの先端が可動接点を備えた可動接触子に連結され、操作ハンドルのオン／オフ操作をトグルリンク部が可動接触子に伝達して接点部の開閉を行い、過電流等異常電流の発生を受けてラッチ片が変位すると、トリップアームが回動してトリップ動作し、トグルリンク部が連動して可動接点を開動作させる一方、トリップ動作しても可動接点と固定接点とが溶着して連結されている場合は、トグルリンク部の作用により操作ハンドルのオフ表示を不能とする回路遮断器において、操作ハンドルのオフ操作により、当該操作ハンドルを支持しているハンドル支持金具に当接する第１及び第２の係合突起を上部トグルリンクに設け、トリップ動作しても可動接点と固定接点とが連結されている場合は、操作ハンドルのオフ操作を受けて、第１の係合突起がハンドル支持金具に当接してトリップアームの動作が規制されてラッチ片に係止せず、トリップ動作して可動接点と固定接点とが解離した場合は、操作ハンドルのオフ操作を受けて、第２の係合突起がハンドル支持金具に当接してトリップアームがラッチ片に係合する角度まで回動し、トリップアームがラッチ片に係止することを特徴とする。
この構成によれば、過電流等の発生を受けてトリップ動作した際に、可動接点と固定接点とが溶着して可動接点が解離動作しない場合、操作ハンドルをリセット操作しても、上部トグルリンクに設けた第１の係合突起がハンドル支持金具に当接することで、トリップアームの動作が規制されラッチ片に係合しない。よって、操作ハンドルをリセット操作しても、リセット動作しない。
よって、その後に接点の連結状態が解けて解離した場合は、本来のトリップ状態に移行しリセットが可能となり、正常状態に復帰したことを内部を確認すること無く認識することが可能となる。
【００１０】
また、トリップ動作して接点が解離する回路遮断器の正常動作状態では、上部トグルリンクに設けた第２の係合突起がハンドル支持金具に係合することでリセット動作する。そのため、トリップアームに別途突起を設ける必要がない。
【発明の効果】
【００１１】
本発明によれば、過電流等の発生を受けてトリップ動作した際に、可動接点と固定接点とが溶着して可動接点が解離動作しない場合、操作ハンドルをリセット操作しても、リセット動作しない。そのため、その後に接点の連結状態が解けて解離した場合は、本来のトリップ状態に移行しリセットが可能となり、正常状態に復帰したことを内部を確認すること無く認識することが可能となる。
【図面の簡単な説明】
【００１２】
【図１】本発明に係る回路遮断器の一例を示す内部機構の側面説明図であり、（ａ）はオン状態、（ｂ）はトリップ状態を示している。
【図２】図１の回路遮断器において接点が溶着した場合の内部機構の側面説明図であり、（ａ）はトリップ状態、（ｂ）はリセット操作状態を示している。
【図３】図１の内部機構の中の要部部材を示し、（ａ）は上部トグルリンク、（ｂ）はトリップアームである。
【図４】操作ハンドルと内部機構の関係を示す説明図であり、（ａ）はオン時の状態、（ｂ）はリセット操作時の状態を示している。
【図５】従来の回路遮断器の内部機構の側面説明図であり、（ａ）はオン状態、（ｂ）はトリップ状態を示している。
【図６】図５の回路遮断器において接点が溶着した場合の内部機構の側面説明図であり、（ａ）はトリップ状態、（ｂ）はリセット操作状態を示している。
【図７】図５の内部機構の中の要部部材を示し、（ａ）は上部トグルリンク、（ｂ）はトリップアームである。
【発明を実施するための形態】
【００１３】
以下、本発明を具体化した実施の形態を、図面に基づいて詳細に説明する。図１，図２は本発明に係る回路遮断器の一例を示し、内部機構の側面説明図を示している。図１（ａ）はオン状態、図１（ｂ）はトリップ状態、図２（ａ）は接点が溶着した場合のトリップ状態、図２（ｂ）は接点が溶着した場合のリセット状態を示している。
この図１，図２において、１はオン／オフ操作するための操作ハンドル、２は可動接点２ａを備えた可動接触子、３は固定接点３ａを備えた固定接触子、４ａは上部トグルリンク、４ｂは下部トグルリンク、５は可動接触子２を組み付けたアーム部材、６は接点を遮断動作させるためのトリップアーム、７は過電流等の異常電流の発生を受けて変位するラッチ片、８は操作ハンドル１が固着されたハンドル支持金具、９は図示しない遮断器ケースに固定され、これら各部材を組み付けるフレームである。
【００１４】
可動接点２ａと固定接点３ａとで電路を開閉する接点部を構成している。また、可動接触子２は電路の負荷側に配置され、固定接触子３は電路の電源側に配置されており、以下電源側を前方、負荷側を後方として説明する。
操作ハンドル支持金具８は、下端にフレーム５に軸支される軸支部８ａを有し、この軸支部８ａを中心に前後方向に回動可能であり、前方に回動して電路をオン、後方に回動して電路をオフするよう構成されている。
【００１５】
図３（ａ）は上部トグルリンク４ａ、図３（ｂ）はトリップアーム６を夫々抜き出して示している。上部トグルリンク４ａは長板状に形成され、上部の透孔２０はトリップアーム６に軸着される軸着部、下部の透孔２１は下部トグルリンク４ｂに連結するための連結部である。また上端には、特定の条件のもとでハンドル支持金具８に当接する角部１９ａとその側部に形成された当接辺１９ｂとから成る係合突起１９が形成されている。
また、図示しない下部トグルリンク４ｂも上部トグルリンク４ａと同様に長板状に形成され、上部には上部トグルリンクに連結する連結部を有し、下部にはアーム部材５に軸着する軸着部５ａを有している。こうして、上部トグルリンク４ａと下部トグルリンク４ｂとは、連結軸１２（図１に示す）を介して互いに回転可能に連結されトグルリンク部４を構成している。
【００１６】
一方、トリップアーム６は図３（ｂ）に示すように略く字状に形成された板体で、上部に形成された透孔２２は上部トグルリンク４ａに軸着される軸着部、下部に形成された透孔２３はフレーム９に軸着される軸着部である。また、後方にはラッチ片７に係合する爪部６ａが形成されている。
こうして、上部トグルリンク４ａの上部がトリップアーム６に連結され、下部トグルリンク４ｂの下端がアーム部材５に連結され、トリップアーム６が回動することで、トグルリンク部４を介して可動接触子２が回動するよう構成されている。
【００１７】
また、図４はハンドル支持金具８とトグルリンク部４の関係を説明する内部機構の側面説明図であり、（ａ）はオン時の状態、（ｂ）はリセット操作時の状態を示している。この図４において、１３はハンドル支持金具８と連結軸１２の間に配設されたコイルバネを示している。このコイルバネ１３の収縮力により、連結軸１２は常時操作ハンドル１方向（上方）に付勢された状態にあり、操作ハンドル１のオン／オフの角度によりトグルリンク部４の中心となる連結軸１２の付勢方向が、前方斜め上から後方斜め上に変化する。
その結果、操作ハンドルのオン／オフにより、トグルリンク部４、トリップアーム６、アーム部材５が変動する。
【００１８】
次に、このように構成された内部機構を備えた回路遮断器の動作を説明する。最初に、接点が溶着していない正常な動作について説明する。
遮断器オフ状態では後方に傾倒した状態にある操作ハンドル１を前方に回動操作することで、図１（ａ）に示すオン状態となる。この操作で、開状態にあった可動接触子２が倒置されて可動接点２ａが固定接点３ａに接触し、回路遮断器はオン状態となる。
具体的に、操作ハンドル１の回動操作で、コイルバネ１３による引っ張りの方向が後方斜め上から前方斜め上に変化する。そのため、トグルリンク部４の連結軸１２は前方へ移動しようとするため、トグルリンク部４は伸張動作する。その結果、可動接触子２は傾倒する方向へ付勢され、接点２ａ，３ａ同士が連結される。なお、この時、ラッチ片７にトリップアーム６が係止した状態、即ちラッチがかかった状態は維持され、操作ハンドル１を自由にしてもオン状態はコイルバネ１３の引っ張り力により維持される。こうして電路はオン状態となる。
【００１９】
尚、遮断器オフの状態では、図４（ｂ）に示すリセット状態と同様の状態にある。この状態では、トリップアーム６がラッチ片７に係止した状態（ラッチ状態）にあり、コイルバネ１３による引っ張りは上部トグルリンク４ａに対して後方斜め上となり下部トグルリンク４ｂを持ち上げる方向に作用する。その結果、可動接触子２は立ち上がって開動作し、その状態が維持される。
【００２０】
回路遮断器オン状態において、短絡電流や過電流が流れるとトリップ動作する。具体的に、図示しない過電流検知手段が過電流を検知すると、或いは短絡電流検知手段が短絡電流を検知すると、ラッチ片７が変位する。その結果、トリップアーム６の爪部６ａのラッチ片７への係止が外れて（ラッチが外れて）コイルバネ１３の引っ張り力でトリップアーム６は回転し、図１（ｂ）に示す状態へ移行する。この結果、トグルリンク部４の作用で可動接触子２は上方へ引っ張られて開方向へ回動して電路は遮断される。即ち、回路遮断器はトリップ動作する。
【００２１】
このトリップ状態はラッチが外れた状態にあるため、操作ハンドル１をオン操作してもその動作がトグルリンク部４には伝わらず、オン動作しない。逆に、操作ハンドル１を後方へ回動するオフ操作（リセット操作）することでリセット動作する。即ち、ラッチがかかった図４（ｂ）の状態となる。
具体的に、操作ハンドルを後方へ回動するリセット操作により操作ハンドル１が回動する途中で、上部トグルリンク４ａに形成された係合突起１９の角部１９ａがハンドル支持金具８に形成された係合面８ｂに当接して係合する。この当接作用で、その後の操作ハンドル１の後方への回動操作に連動して上部トグルリンク４ａは移動する。その結果、トリップアーム６が回動して、最終的に爪部６ａがトリップ片７の下端に係止されラッチ状態となる。こうして図４（ｂ）の状態となり、その後操作ハンドル１を自由にしても、前方に移動することなく、オフ状態を維持する。その後、オン操作すれば上述したように電路は再びオン状態となる。
【００２２】
次に、接点が溶着した場合の動作を説明する。操作ハンドル１を前方に回動したオン状態において、電路電流が定格を越えて過電流が流れた場合、或いは短絡電流が流れた場合、上述したようにトリップ動作する。但し、このトリップ時に、可動接点２ａと固定接点３ａとが溶着して連結された状態にあると、図２（ａ）に示す状態となる。即ち、ラッチは解除されたにもかかわらず、可動接触子２は起立動作ぜず接点同士は接触した状態を維持する。
この場合、トリップ動作しても可動接触子２は開動作しないため、トグルリンク部４の状態は殆ど変化せず、略直線の状態を維持する。そのため、トグルリンク部４と連結されているトリップアーム６も大きく回動することはない。そして、このトリップ状態はラッチが外れた状態にあるため、操作ハンドル１をオン操作してもトグルリンク部４は連動せずオン動作しない。
【００２３】
また、この状態から操作ハンドル１を後方へ回動するオフ操作（リセット操作）を行っても、上記図４（ｂ）に示す様なリセット状態に移行しない。具体的に、操作ハンドル１をオフ操作する途中で、上述した正常時のオフ操作と同様に、上部トグルリンク４ａに形成された係合突起１９がハンドル支持金具８が係合する。ただし、このときトグルリンク部４は略直線の状態を維持しているため、ハンドル支持金具８の係合面８ｂに係合突起１９の角部１９ａではなく当接辺１９ｂが当接して係合する。
【００２４】
この当接作用で、トリップアーム６の動作が規制され、操作ハンドル１を後方限界まで回動してもトリップアーム６がトリップ片７に係止する角度まで回動しない。その結果、リセット動作せず、図２（ｂ）に示す状態となる。そして、操作ハンドル１の回動操作を止めて操作ハンドル１を自由にすると、トグルリンク部４の連結軸１２がハンドル支持金具８の軸支部８ａより前方へ配置されていることで、コイルバネ１３の付勢力により操作ハンドル１は前方（オン方向）へ戻る動作をし、トリップ状態である図２（ａ）の状態まで戻る。
【００２５】
このように、過電流等の発生を受けてトリップ動作した際に、可動接点２ａと固定接点３ａとが溶着して可動接触子２が解離動作しない場合、操作ハンドル１をリセット操作しても、上部トグルリンク４ａに設けた係合突起１９の当接辺１９ｂがハンドル支持金具８に当接することでトリップアーム６の動作が規制されるので、ラッチ片７に係合しない。よって、操作ハンドル１をリセット操作しても、リセット動作しない。
そのため、その後に接点の連結状態が解けて解離した場合は、本来のトリップ状態に移行しリセットが可能となり、正常状態に復帰したことを内部を確認すること無く認識することが可能となる。
また、トリップ動作して接点同士が解離する回路遮断器の正常動作状態では、上部トグルリンク４ａに設けた係合突起１９の角部１９ａがハンドル支持金具８に係合することでリセット動作するので、トリップアーム６にハンドル支持金具８に係合する突起を別途設ける必要がない。
【００２６】
尚、上記実施形態では、接点２ａ，３ａ同士が溶着した状態でリセット操作した場合、係合突起１９の当接辺１９ｂをハンドル支持金具８に当接させているが、当接する部位の形状は角部１９ａと同様に単なる突起としても良く、形状は任意である。
【符号の説明】
【００２７】
１・・操作ハンドル、２・・可動接触子、２ａ・・可動接点、３・・固定接触子、３ａ固定接点、４・・トグルリンク部、４ａ・・上部トグルリンク、４ｂ・・下部トグルリンク、６・・トリップアーム、６ａ・・爪部、７・・ラッチ片、８・・ハンドル支持金具、１９・・係合突起、１９ａ・・角部（第２の係合突起）、１９ｂ・・当接辺（第１の係合突起）。  
【図１】
0005595827.tif 000002
【図２】
0005595827.tif 000003
【図３】
0005595827.tif 000004
【図４】
0005595827.tif 000005
【図５】
0005595827.tif 000006
【図６】
0005595827.tif 000007
【図７】
0005595827.tif 000008